(57)【特許請求の範囲】
【請求項１】
トッププレートと、前記トッププレートを下面より支え本体との位置決め固定するフック部を備えたアンダーフレーム及びサイドフレームにより構成されたトップユニットと、前記トップユニットの下方に設け外郭を形成する前記本体と、前記トップユニット下方の前記本体上に設けた複数の加熱手段と、前記トッププレートの下面に設けた導電性印刷による電極部と、前記電極部の信号を制御回路部へ伝達する接点端子部及び前記電極部の静電容量の変化を検知し加熱手段の動作を制御する制御回路部とを本体内に備え、前記トッププレート下面に前記アンダーフレームと前記電極との距離が所定の範囲内にあることを確認するための導電性印刷によるマーキングを設けた加熱調理器。
【請求項２】
トッププレート下面に設けられた導電性印刷によるマーキングは、アンダーフレームの端面をまたいで、所定の距離を開けて２箇所平行に設ける、あるいは、前記アンダーフレームの端面にかかる円形形状とした請求項１に記載の加熱調理器。
【請求項３】
トッププレート下面に設けられた導電性印刷によるマーキングは、トッププレートの一辺に対して複数箇所設けた請求項１または２に記載の加熱調理器。
【請求項４】
トッププレート下面に複数個設けた導電性印刷によるマーキングを導電性印刷で結んだ請求項３に記載の加熱調理器。
【請求項５】
トッププレート下面に、操作に使用するスイッチ部の導電性印刷による電極と、トッププレート上面のふきこぼれによる静電容量の変化を検知する導電性印刷による電極と２種類設け、前記ふきこぼれの静電容量を検知する電極をサイドフレームに沿って平行に設けた請求項１〜４のいずれか１項に記載の加熱調理器。
【発明の詳細な説明】
【技術分野】
【０００１】
本発明は、加熱調理器のトッププレートに関するものである。
【背景技術】
【０００２】
従来、この種の加熱調理器である誘導加熱調理器は、図４に示すようなものがある（例えば、特許文献１参照）。
【０００３】
図４は、従来の加熱調理器の要部分解斜視図を示すものである。図４に示すように、日本の一般家庭の台所で用いられているものは、トッププレート３５に加熱手段を３個有する、いわゆる３口の加熱調理器であり、加熱調理器の外郭を構成する外郭本体３１の内部には、加熱手段や制御基板等（図示せず）を有し、３２はトップユニット部３２で外郭本体３１を上方から覆われている。
【０００４】
トップユニット部３２はトッププレート３５と、トッププレート３５を下面より保持するアンダーフレーム（保持部材）３３と、トッププレート３５の上方より外周を覆うサイドフレーム（枠体）３６とにより構成されおり、トッププレート３５はアンダーフレーム３３の一部に押し当て位置決めする。アンダーフレーム（保持部材）３３の前辺部に下方よりビス３８で固定されるフック部３７は、トップユニット部３２が外郭本体３１にセットされた後、前方よりビス３９にて固定される。
【先行技術文献】
【特許文献】
【０００５】
【特許文献１】特開２００４−３１１３３８号公報
【発明の概要】
【発明が解決しようとする課題】
【０００６】
しかしながら、前記従来の構成では、近年のようにトッププレート上面の静電容量方式のスイッチなどを操作する機種において、トッププレートの外形や印刷やアンダーフレームの曲げ位置等の寸法公差によるばらつきの重なりで、アンダーフレームとトッププレートの導電性印刷による電極との位置関係が所定の距離からずれて、前記電極と本体に設けられた接点端子との位置がずれて、導通不良となり組立後にトップユニットを正しい位置関係のものへの交換が必要になる場合があるという課題を有していた。あるいは、電極部分の位置ズレにより、静電容量の変化レベルにばらつきが出たり、その変化を利用した検知性能のばらつきが大きくなるという課題を有していた。
【０００７】
本発明は前記従来の課題を解決するもので、トップユニットの組み立て時に、本体への位置決めフックを備えたアンダーフレームと、トッププレートの導電性印刷による電極が所定の距離にあることを確認し、正しく組み立てできるようにし、導電性印刷による電極と接点端子の確実な接触による良好な導通状態の確保、あるいは電極の静電容量の変化検知性能を向上させた加熱調理器を提供することを目的とする。
【課題を解決するための手段】
【０００８】
前記従来の課題を解決するために、本発明は、トッププレートと、前記トッププレートを下面より支え本体との位置決め固定するフック部を備えたアンダーフレーム及びサイドフレームにより構成されたトップユニットと、前記トップユニットの下方に設け外郭を形成する前記本体と、前記トップユニット下方の前記本体上に設けた複数の加熱手段と、前記トッププレートの下面に設けた導電性印刷による電極部と、前記電極部の信号を制御回
路部へ伝達する接点端子部及び前記電極部の静電容量の変化を検知し加熱手段の動作を制御する制御回路部とを本体内に備え、前記トッププレート下面に前記アンダーフレームと前記電極との距離が所定の範囲内にあることを確認するための導電性印刷によるマーキングを設けた加熱調理器である。
【０００９】
これによって、前記トッププレート下面の導電性印刷によるマーキングによりアンダーフレームとトッププレート下面の導電性印刷による電極との距離が所定の範囲内にあることが確認できるので、トッププレートの下面の電極と本体に設けられた接点端子部との位置合わせを確実に行うことができ、静電容量の変化を利用したスイッチ等の導通を確実にでき、信頼性を向上することができるとともに、電極自体の位置精度も上がるので、位置ズレに起因した静電容量の変化のバラツキを低減でき、検知精度も向上できる。
また、本体組付け前に電極の位置ズレを確認し、調整できるので、トップユニットの不良によるロスや組み立てロスを低減できる。
【発明の効果】
【００１０】
本発明の加熱調理器は、トッププレートの下面の電極の位置合わせ、位置確認を確実に行うことができ、接点端子との確実な接触による信頼性の向上や静電容量の変化を利用したスイッチや検知機能の信頼性を向上できる。
【図面の簡単な説明】
【００１１】
【図１】本発明の実施の形態１における加熱調理器の要部分解斜視図
【図２】本発明の実施の形態１における加熱調理器のトップユニットの正面図
【図３】本発明の実施の形態１における加熱調理器のトップユニット別案の正面図
【図４】従来の加熱調理器の要部分解斜視図
【発明を実施するための形態】
【００１２】
第１の発明は、トッププレートと、前記トッププレートを下面より支え本体との位置決め固定するフック部を備えたアンダーフレーム及びサイドフレームにより構成されたトップユニットと、前記トップユニットの下方に設け外郭を形成する前記本体と、前記トップユニット下方の前記本体上に設けた複数の加熱手段と、前記トッププレートの下面に設けた導電性印刷による電極部と、前記電極部の信号を制御回路部へ伝達する接点端子部及び前記電極部の静電容量の変化を検知し加熱手段の動作を制御する制御回路部とを本体内に備え、前記トッププレート下面に前記アンダーフレームと前記電極との距離が所定の範囲内にあることを確認するための導電性印刷によるマーキングを設けた加熱調理器とすることにより、トッププレート下面に設けられた導電性印刷による電極と固定用フック部を備えたアンダーフレームの距離を所定の範囲に確実位置合わせでき、それにより電極と本体の接点端子の位置合わせを確実に行うことができ、静電容量の変化を利用したスイッチ等の導通を確実にでき、信頼性を向上することができる。また、電極自体の位置精度も上がるので、静電容量の変化を検知する精度も向上できる。
また、本体組付け前に電極の位置ズレを確認できるので、部品の不良によるロスや組み立てロスを低減できる。
【００１３】
第２の発明は、特に、第１の発明のマーキングを、アンダーフレームの端面をまたいで、所定の距離を開けて２箇所平行に設ける、あるいは、アンダーフレームの端面にかかる円形形状とすることにより、マーキングとアンダーフレーム端面との隙間やかかりしろの量により、位置関係をより正確に把握でき、所定の距離内にあることをより把握しやすくなる。
【００１４】
第３の発明は、特に、第１または第２の発明の加熱調理器のマーキングをトッププレートの一辺に対して複数箇所設けたことにより、電極のアンダーフレームに対する距離のみ
ならず、傾き等も把握でき、より位置精度を上げることができ、電極の信頼性をあげることができる。
【００１５】
第４の発明は、特に、第３の発明のマーキングを導電性印刷で結んだことにより、トップユニットに検査用のコンタクトピンを当て、導通の有無を確認することにより、電極とアンダーフレームの距離が所定の範囲内にあることを自動で検査できる。
【００１６】
第５の発明は、特に、第１〜４のいずれか１つの発明の導電性印刷による電極を、操作に使用するスイッチ部の導電性印刷による電極と、トッププレート上面のふきこぼれによる静電容量の変化を検知する導電性印刷による電極と２種類設け、前記ふきこぼれの静電容量を検知する電極をサイドフレームに沿って平行に設けたことにより、静電容量の変化を利用したスイッチ等の導通を確実にでき、信頼性を向上することができるとともに、マーキングによりトップ枠に沿って平行に精度良く電極を設けることができるので、枠に沿ってこぼれたふきこぼれによる静電容量の変化を精度よく検知することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における加熱調理器の斜視図を示し、図２はトップユニットの正面図を示すものである。
【００１９】
図１、図２において、トッププレート１は、下面より外郭本体２との位置決め固定するフック部３を備えたアンダーフレーム４により保持され、トッププレート１とアンダーフレーム４は周囲をサイドフレーム５により勘合され、トップユニット６を構成している。またトッププレート１下面には、各スイッチに対応した導電性印刷による電極７ａおよび各加熱手段８の周囲を円周状に這わせたふきこぼれ検知用の導電性印刷による電極７ｂが施されている。さらにトッププレート１下面には、中央部を加熱手段８用にくりぬかれたアンダーフレーム４の前辺側の端面９をまたぐように、１ｍｍ程度の距離を開けて平行にたとえばコの字状に導電性印刷によるマーキング１０ａを設けている。マーキング１０ａは、１辺に複数箇所設けている。これらの導電性印刷による電極７ａ、７ｂやマーキング１０ａは、同じ版で同時に印刷されている。
【００２０】
一方、トップユニット６の下方に設けた外郭を形成する本体２には、複数の加熱手段８と、トッププレート１下面の電極７ａ、７ｂ部の下方に対向して配置し弾性があり組み立て後電極７ａ、７ｂ部に接触して電極７ａ、７ｂ部の信号を制御回路部１１へ伝達する接点端子１２と、前記電極７ａ、７ｂの静電容量の変化を検知し加熱手段８の動作を制御する制御回路部１１とを備えている。
【００２１】
トップユニット６は、アンダーフレーム１のフック部３および天面後部の固定部１３を介して、機器本体２に固定される。
【００２２】
以上のように構成された加熱調理器について、以下その動作、作用を説明する。
【００２３】
まず、トップユニット６組立時に、トッププレート１下面の導電性印刷による平行部の距離を１ｍｍ程度設けたコの字状のマーキング１０ａがアンダーフレーム４をまたいで組立てられていることを確認することにより、アンダーフレーム４とトッププレート１下面の導電性印刷による電極７ａ、７ｂとの距離が所定の範囲内にあることが確認でき組立できるので、トッププレート１の下面の電極７ａ、７ｂと本体に設けられた接点端子１２との位置合わせを確実に行うことができ、静電容量の変化を利用したスイッチ等の導通を確
実にでき、信頼性を向上することができる。また、マーキング１０ａはアンダーフレーム１前辺上に複数箇所設けているので、組立時に、トッププレート１や電極７ｂのアンダーフレーム４に対する傾きも確認し補正できるので、電極７ｂ自体の位置精度も上がるので、位置ズレに起因した静電容量の変化のバラツキを低減でき、検知精度も向上できる。特に、ふきこぼれ用の電極７ｂを周囲のサイドフレーム５と平行に配している場合は、電極７ｂとサイドフレーム５との位置関係や距離が所定の範囲内に安定するので、フレームに沿ってふきこぼれた場合、電極７ｂの位置バラツキに起因するバラツキを小さく抑えることができるので静電容量の変化を精度よく検知することができる。
【００２４】
また、本体２組付け前に電極７ａ、７ｂの位置ズレを確認し、調整できるので、トップユニット６の不良によるロスや組み立てロスも低減できる。
【００２５】
また、図３に示すように、本実施形態のマーキングの形状を円形としても、その円形のマーキング１０ｂが、アンダーフレーム４の端面９にかかっていることを確認することにより、アンダーフレーム４とトッププレート１下面の導電性印刷による電極７ａ、７ｂとの距離が所定の範囲内にあることが確認でき組立でき、トッププレート１の下面の電極７ａ、７ｂと本体２に設けられた接点端子１２との位置合わせを確実に行うことができ、静電容量の変化を利用したスイッチ等の導通を確実にでき、信頼性を向上することができる。
【００２６】
さらに、図３に示すように、本実施の形態の複数のマーキング１０ｂを導電性印刷でつないだ場合、トップユニット６組み立て時、トップユニット６下面よりに検査用のコンタクトピンを予め定めた本体から適正な位置である導電性印刷でつないだ各マーキング１０ｂに当て、所定の位置にマーキング１０ｂが無いとコンタクトピンが当たらないので導通がなく、複数のマーキング１０ｂ間の導通の有無を確認することにより、マーキング１０ｂが所定の位置にあるかを自動で確認でき、電極７ａ、７ｂとアンダーフレーム４の距離が所定の範囲内にあることを自動で検査できる。
【産業上の利用可能性】
【００２７】
以上のように、本発明にかかる加熱調理器は、トッププレートの下面の電極の位置合わせ、確認を確実にでき、静電容量の変化を利用したスイッチや検知機能の信頼性を向上できるので、電気やガス等熱源を問わず加熱調理器に利用が可能で、さらに導電性印刷による電極の静電容量の変化を利用した他の機器のスイッチ等の用途にも適用できる。
【符号の説明】
【００２８】
１  トッププレート
２  本体
３  フック部
４  アンダーフレーム
５  サイドフレーム
６  トップユニット
７ａ、７ｂ  電極（電極部）
８  加熱手段
９  端面
１０、１０ａ、１０ｂ  マーキング
１１  制御回路部
１２  接点端子
１３  固定部
【図２】
0005402680.tif 000002
【図３】
0005402680.tif 000003
【図４】
0005402680.tif 000004
【図１】
0005402680.tif 000005